【誤訳訂正書】
【提出日】平成25年5月21日(2013.5.21)
【誤訳訂正１】
【訂正対象書類名】特許請求の範囲
【訂正対象項目名】全文
【訂正方法】変更
【訂正の内容】
【特許請求の範囲】
【請求項１】
ユーザエージェント（ＵＡ）とパケットデータネットワーク（ＰＤＮ）との間の接続性を促進する方法であって、
サービスデータフローと関連付けられたサービスの質（ＱｏＳ）クラス識別子（ＱＣＩ）を決定することであって、該ＱＣＩは、該サービスデータフローに対するそれぞれのＱｏＳ特性のセットに対する定義された値の現在のセットを示すスカラー値を有する、ことと、
該サービスデータフローに対するそれぞれのＱｏＳ特性の該セットに対する定義された値のセットからの変化を決定することと、
複数のビットを含むＱＣＩ拡張子を決定することであって、該複数のビットの値の組み合わせは、該変化を示す、ことと、
該サービスデータフローに対するサービスデータフロー処理を適用するための要求を送信することであって、該要求は、定義された値の該現在のセットを示す該ＱＣＩと、該変化を示す該ＱＣＩ拡張子とを含む、ことと
を含む、方法。
【請求項２】
前記ＱＣＩ拡張子によって示される前記変化は、それぞれのＱｏＳ特性の前記セットに対する定義された値の現在のセットに関連付けられたデフォルト変化値であり、それぞれのＱｏＳ特性の該セットは、優先度、パケット遅延割当量、およびパケットエラー損失率（ＰＥＬＲ）を含む、請求項１に記載の方法。
【請求項３】
前記ＱＣＩは、４ビット以上を備え、前記ＱＣＩ拡張子は、４ビット以上を備え、該ＱＣＩ拡張子によって示される前記変化は、少なくとも１つのそれぞれのＱｏＳ特性に対する前記現在のセットの少なくとも１つの定義された値の増加または減少であり、該少なくとも１つのそれぞれの特性は、リソース種類、優先度、パケット遅延割当量、およびパケットエラー損失率（ＰＥＬＲ）を含む、請求項１に記載の方法。
【請求項４】
前記ＱＣＩ拡張子は、４ビットを有し、該４ビットの値の各組み合わせは、それぞれのＱｏＳ特性のセットに対する定義された値の前記現在のセットにおける特定の変化を定義する、請求項３に記載の方法。
【請求項５】
すべて、前記ＱＣＩの前記スカラー値によって定義される対応するＱｏＳ特性に対して、前記ＱＣＩ拡張子が、２進数「１１１１」を含むとき、前記現在のセットにおける優先度の前記定義された値は、第１のデフォルト値だけ増加し、該現在のセットにおける前記パケットエラー損失率（ＰＥＬＲ）の前記定義された値は、第２のデフォルト値だけ増加し、該現在のセットにおける前記パケット遅延割当量の前記定義された値は、第３のデフォルト値だけ増加する、請求項３に記載の方法。
【請求項６】
前記ＱＣＩ拡張子は、変化を示し、前記現在のセットの前記定義された値のうちの１つ以上が、増加する一方、該現在のセットの該定義された値のうちの１つ以上が、減少し、該現在のセットの該定義された値に対する該増加および減少は、前記ＱＣＩの前記スカラー値によって指定される、請求項３に記載の方法。
【請求項７】
ＵＡとパケットデータネットワーク（ＰＤＮ）との間の接続性を促進するユーザエージェント（ＵＡ）であって、
該ユーザエージェントはプロセッサを備え、該プロセッサは、
サービスデータフローと関連付けられたサービスの質（ＱｏＳ）クラス識別子（ＱＣＩ）を決定することであって、該ＱＣＩは、該サービスデータフローに対するそれぞれのＱｏＳ特性のセットに対する定義された値の現在のセットを示すスカラー値を有する、ことと、
該サービスデータフローに対するそれぞれのＱｏＳ特性の該セットに対する定義された値の該現在のセットからの変化を決定することと、
複数のビットを含むＱＣＩ拡張子を決定することであって、該複数のビットの値の組み合わせは、該変化を示す、ことと、
該サービスデータフローに対するサービスデータフロー処理を適用するための要求を伝送することであって、該要求は、定義された値の該現在のセットを示す該ＱＣＩと、該変化を示す該ＱＣＩ拡張子とを含む、ことと
を行うように構成される、ユーザエージェント。
【請求項８】
前記ＱＣＩ拡張子によって示される前記変化は、それぞれのＱｏＳ特性の前記セットに対する定義された値の前記現在のセットに関連付けられたデフォルト変化値であり、それぞれのＱｏＳ特性の該セットは、前記ＱＣＩに基づいた、優先度、パケット遅延割当量、およびパケットエラー損失率（ＰＥＬＲ）を含む、請求項７に記載のユーザエージェント。
【請求項９】
前記ＱＣＩは、４ビット以上を備え、前記ＱＣＩ拡張子は、４ビット以上を備え、該ＱＣＩ拡張子によって示される前記変化は、少なくとも１つのそれぞれのＱｏＳ特性に対する前記現在のセットの少なくとも１つの定義された値の増加または減少であり、該少なくとも１つのそれぞれのＱｏＳ特性は、リソース種類、優先度、パケット遅延割当量、およびパケットエラー損失率（ＰＥＬＲ）を含む、請求項７に記載のユーザエージェント。
【請求項１０】
前記ＱＣＩ拡張子は、４ビットを有し、該４ビットの値の各組み合わせは、それぞれのＱｏＳ特性のセットに対する定義された値の前記現在のセットにおける特定の変化を定義する、請求項９に記載のユーザエージェント。
【請求項１１】
すべて、前記ＱＣＩの前記スカラー値によって定義される対応するＱｏＳ特性に対して、前記ＱＣＩ拡張子が、２進数「１１１１」を備えるとき、前記現在のセットにおける優先度の前記定義された値は、第１のデフォルト値だけ増加し、該現在のセットにおける前記パケットエラー損失率の前記定義された値は、第２のデフォルト値だけ増加し、該現在のセットにおける前記パケット遅延割当量の前記定義された値は、第３のデフォルト値だけ増加する、請求項９に記載のユーザエージェント。
【請求項１２】
前記ＱＣＩ拡張子は、変化を示し、前記現在のセットの前記定義された値のうちの１つ以上が、増加する一方、該現在のセットの該定義された値のうちの１つ以上が、減少し、該現在のセットの該定義された値に対する該増加および減少は、前記ＱＣＩの前記スカラー値によって指定される、請求項９に記載のユーザエージェント。
【請求項１３】
ユーザエージェント（ＵＡ）とパケットデータネットワーク（ＰＤＮ）との間の接続性を促進するネットワーク構成要素であって、
該ネットワーク構成要素は、プロセッサを備え、該プロセッサは、
サービスデータフローを確立するための要求を受信することであって、該要求は、サービスの質（ＱｏＳ）クラス識別子（ＱＣＩ）を含み、該ＱＣＩは、サービスフローに対するそれぞれのＱｏＳ特性のセットに対する定義された値の現在のセットを示すスカラー値を有し、ＱＣＩ拡張子は、複数のビットを含み、該複数のビットの値の組み合わせは、該ＱＣＩのそれぞれのＱｏＳ特性の該セットに対する定義された値の該現在のセットの変化を示す、ことと、
定義された値の該現在のセットを示す該ＱＣＩと、該変化を示す該ＱＣＩ拡張子とに少なくとも部分的に基づいて、該サービスデータフローを処理することと
を行うように構成される、ネットワーク構成要素。
【請求項１４】
前記プロセッサは、前記ＱＣＩおよび前記ＱＣＩ拡張子を１から９までの範囲内、または、１から標準的バージョンにおいて定義されるより高い値までの範囲内のスカラー値に変換し、少なくとも部分的に、１から９までの範囲内、または、１から標準的バージョンにおいて定義されるより高い値までの範囲内のスカラー値に基づいて、前記サービスデータフローを処理するようにさらに構成される、請求項１３に記載のネットワーク構成要素。
【請求項１５】
前記プロセッサは、
前記ＱＣＩおよび前記ＱＣＩ拡張子に基づいて決定される、優先度値、パケット遅延割当量値、およびパケットエラー損失率（ＰＥＬＲ）値から成るベクトル値を決定することによって、１から９までの範囲内、または、１から標準的バージョンにおいて定義されるより高い値までの範囲内のスカラー値を決定することであって、該ＱＣＩが、保証されたビットレートリソースと関連付けられているとき、該ベクトル値と対応する優先度値列、パケット遅延割当量値列、およびパケットエラー損失値列との間の最小二乗誤差を最小限にする以下の表内の指数として、該スカラー値を決定し、
【化８】
2012524463.tif 000001
該ＱＣＩが、保証されていないビットレートリソースと関連付けられているとき、該ベクトル値と対応する優先度値列、パケット遅延割当量値列、およびパケットエラー損失値列との間の最小二乗誤差を最小限にする以下の表内の指数として、該スカラー値を決定し、
【化９】
2012524463.tif 000002
上記において、該指数は、該ＱＣＩの該スカラー値であり、前記優先度は、優先度レベルであり、ＰＤＢは、５０ｍｓであり、該ＰＥＬＲは、１０−１である、こと
を行うようにさらに構成される、請求項１４に記載のネットワーク構成要素。
【請求項１６】
前記プロセッサは、前記スカラー値をレガシーサービスの質定義に変換し、少なくとも部分的に、該レガシーサービスの質定義に基づいて、前記サービスデータフローを確立するようにさらに構成される、請求項１４に記載のネットワーク構成要素。
【請求項１７】
ユーザエージェント（ＵＡ）とパケットデータネットワーク（ＰＤＮ）との間の接続性を促進する方法であって、
サービスデータフローと関連付けられたサービスの質（ＱｏＳ）クラス識別子（ＱＣＩ）を決定することであって、該ＱＣＩは、サービスフローに対するそれぞれのＱｏＳ特性のセットに対する定義された値の現在のセットを示すスカラー値を有する、ことと、
該サービスデータフローに対するそれぞれのＱｏＳ特性の該セットに対する定義された値の該セットからの変化を決定することと、
複数のビットを含むＱＣＩ拡張子を決定することであって、該複数のビットの値の組み合わせは、該変化を示す、ことと、
該サービスデータフローのためのサービスデータフロー処理を適用するための要求を送信することであって、該要求は、定義された値の該現在のセットを示す該ＱＣＩと、該変化を示すＱＣＩ拡張子とを備える、ことと
を含み、該ＱＣＩは、進化型パケットシステム（ＥＰＳ）のサービスの質（ＱｏＳ）の情報要素内に１オクテットを備え、該ＱＣＩ拡張子は、該ＥＰＳ  ＱｏＳ情報要素内に別のオクテットを備える、方法。
【請求項１８】
前記ＱＣＩは、前記ＥＰＳ  ＱｏＳ情報要素内に第３のオクテットを備える、請求項１７に記載の方法。
【請求項１９】
前記ＱＣＩ拡張子は、前記ＥＰＳ  ＱｏＳ情報要素内に第１２のオクテットを備える、請求項１７に記載の方法。
【誤訳訂正２】
【訂正対象書類名】明細書
【訂正対象項目名】全文
【訂正方法】変更
【訂正の内容】
【発明の詳細な説明】
【発明の名称】サービスの質クラス識別子拡張子の進化型パケットシステムのためのメカニズム
【背景技術】
【０００１】
本明細書で使用される場合、「ユーザエージェント」および「ＵＡ」という用語は、携帯電話、携帯情報端末、携帯式またはラップトップコンピュータ、および電気通信能力を有する同様のデバイス等、携帯デバイスを指すことができる。そのようなＵＡは、加入者識別モジュール（ＳＩＭ）アプリケーション、汎用加入者識別モジュール（ＵＳＩＭ）アプリケーション、可撤性ユーザ識別モジュール（Ｒ−ＵＩＭ）アプリケーションを含む、デバイスおよびその関連汎用集積回路カード（ＵＩＣＣ）から成る場合があり、またはそのようなカードを伴わないデバイス自体から成る場合がある。「ＵＡ」という用語はまた、固定回線電話、デスクトップコンピュータ、セットトップボックス、またはネットワークノード等、同様の能力を有するが運搬可能ではないデバイスを指してもよく、したがって、ユーザ機器「ＵＥ」と称されてもよい。ＵＡがネットワークノードであるとき、ネットワークノードは、無線デバイスまたは固定回線デバイス等の別の機能に代わって作用し、無線デバイスまたは固定回線デバイスをシミュレートあるいはエミュレートすることができる。例えば、いくつかの無線デバイスの場合、典型的には、デバイス上に常駐するＩＰ（インターネットプロトコル）マルチメディアサブシステム（ＩＭＳ）セッション開始プロトコル（ＳＩＰ）クライアントは、実際にネットワーク内に常駐し、最適化されたプロトコルを使用して、デバイスにＳＩＰメッセージ情報を中継する。言い換えれば、従来無線デバイスによって実行されるいくつかの機能は、遠隔ＵＡの形態で分散することができ、その場合、遠隔ＵＡは、ネットワーク内の無線デバイスを表す。「ＵＡ」という用語はまた、ＳＩＰセッションを終結させることができる、任意のハードウェアまたはソフトウェア構成要素も指すことができる。
【０００２】
従来の無線電気通信システムにおいて、基地局内の伝送機器は、セルとして周知の地理的な領域内全体に、信号を伝送する。技術が進化するにつれ、以前では不可能であったサービスを提供可能な、より高度なネットワークアクセス機器が導入されるようになった。本高度なネットワークアクセス機器は、例えば、基地局ではなく、拡張ノードＢ（ＥＮＢ）、または従来の無線電気通信システムにおける同等機器より高度に進化した他のシステムおよびデバイスを含む場合がある。そのような高度なまたは次世代の機器は、ロングタームエボリューション（ｌｏｎｇ−ｔｅｒｍ  ｅｖｏｌｕｔｉｏｎ）（ＬＴＥ）機器と称されてもよく、また、そのような機器を使用する進化型パケットコア（ＥＰＣ）は、進化型パケットシステム（ＥＰＳ）と称することもできる。本明細書で使用される「アクセスデバイス」という用語は、ＵＡに、電気通信システム内の他の構成要素へのアクセスを提供可能な、従来の基地局、ＬＴＥ  ＥＮＢ、または他のデバイス等の任意の構成要素を指す。
【０００３】
ここで、本開示のより完全な理解のために、添付の図面および発明を実施するための形態と関連して、以下の簡単な説明を参照する（類似の参照数字は、類似の部分を表す）。
【発明の概要】
【課題を解決するための手段】
【０００４】
最初に、本開示の１つ以上の実施形態の例証的実装が以下に提供されるが、開示されるシステムおよび／または方法は、現在周知であるか、または既存であるかどうかを問わず、任意の数の技術を使用して実装されてもよいことを理解されたい。本開示は、本明細書に例証および記載される例示的設計および実装を含む、以下に例証される例証的実装、図面、および技術にいかようにも制限されず、添付の請求項の範囲とともに、その同等物の全範囲内において修正されてもよい。
【０００５】
ある実施形態では、一式の指定されたスカラー値からサービスの質クラス識別子（ＱＣＩ）指定を拡張するためのシステムおよび方法が、開示される。ＱＣＩは、ベアラレベルパケット転送処理（例えば、スケジューリング加重、許容閾値、キュー管理閾値、リンク層プロトコル構成等）を制御し、オペレータによって事前に構成されている、アクセスノード指定パラメータの基準として使用される。開示される拡張されたＱＣＩは、後方互換性であって、また、拡張されたＱＣＩからＱＣＩの指定されたスカラー値への変換を促進する。ある実施形態では、拡張されたＱＣＩは、スカラーＱＣＩ値集合のうちの１つを指定する、第１の構成要素と、第１の構成要素によるスカラーＱＣＩ指定に対するＱＣＩの属性値変化、例えば、パケット遅延割当量の規定量増加を指定する、第２の構成要素と、を備える。
本発明は、例えば、以下を提供する。
（項目１）
ユーザエージェント（ＵＡ）とパケットデータネットワーク（ＰＤＮ）との間の接続性を促進する方法であって、
サービスの質（ＱｏＳ）クラス識別子（ＱＣＩ）を決定し、サービスデータフローと関連付けることと、
該ＱＣＩの優先度、パケット遅延割当量、およびパケットエラー損失率のうちの少なくとも１つにおける変化の意味を決定し、該サービスデータフローと関連付けることと、
サービスデータフロー処理を指定するための要求を送信することであって、該要求は、ＱＣＩと、該ＱＣＩの変化の意味をカプセル化するＱＣＩ拡張子とを含む、ことと
を含む、方法。
（項目２）
デフォルト変化値は、上記ＱＣＩに基づいて、上記優先度、上記パケット遅延割当量、および上記パケットエラー損失率のうちの１つまたは組み合わせと関連付けられる、項目１に記載の方法。
（項目３）
上記ＱＣＩは、４ビット以上を備え、上記ＱＣＩ拡張子は、４ビット以上を備え、上記ＱＣＩ拡張子ビットのうちの１つ以上は、上記リソース種類、上記優先度、上記パケット遅延割当量、および上記パケットエラー損失率のうちの１つ以上の増減に伴う上記変化の意味を示す、項目１に記載の方法。
（項目４）
上記ＱＣＩ拡張子が、４ビットを有し、かつ、２進数００００を含むとき、上記ＱＣＩによって定義される値から変化がなく、該ＱＣＩ拡張子が、２進数１００１を含むとき、上記優先度の値は、該ＱＣＩによって定義される上記優先度に対して、第１のデフォルト値だけ増加し、該ＱＣＩ拡張子が、２進数０１０１を備えるとき、上記パケット遅延割当量の値は、該ＱＣＩによって定義される上記パケット遅延割当量に対して、第２のデフォルト値だけ増加し、該ＱＣＩ拡張子が、２進数００１１を備えるとき、上記パケットエラー損失率の値は、該ＱＣＩによって定義される上記パケットエラー損失率に対して、第３のデフォルト値だけ増加し、該ＱＣＩ拡張子が、２進数１０００を備えるとき、上記優先度の値の値は、該ＱＣＩによって定義される上記優先度に対して、第４のデフォルト値だけ減少し、該ＱＣＩ拡張子が、２進数０１００を備えるとき、該パケット遅延割当量の値は、該ＱＣＩによって定義される該パケット遅延割当量に対して、第５のデフォルト値だけ減少し、該ＱＣＩ拡張子が、２進数００１０を備えるとき、該パケットエラー損失率の値は、該ＱＣＩによって定義される該パケットエラー損失率に対して、第６のデフォルト値だけ減少する、項目３に記載の方法。
（項目５）
上記ＱＣＩ拡張子が、４ビットを有するとき、１を超えるＱｏＳ特性変化を伴うＱＣＩ拡張子もまた、指定可能であって、すべて、上記スカラーＱＣＩによって定義される対応するＱｏＳ特性に対して、該ＱＣＩ拡張子が、２進数１１１１を含むとき、上記優先度の値は、第１のデフォルト値だけ増加し、上記パケットエラー損失率の値は、第２のデフォルト値だけ増加し、該優先度の値は、第３のデフォルト値だけ増加する、項目３に記載の方法。
（項目６）
上記ＱＣＩ拡張子が、４ビット以上を有するとき、ＱＣＩ拡張子もまた、１つ以上のＱｏＳ特性が、増加する一方、１つ以上のＱｏＳ特性が、上記スカラーＱＣＩ値によって指定されるＱＣＩ特性に対して、減少するように定義可能である、項目３に記載の方法。
（項目７）
該ＵＡとパケットデータネットワーク（ＰＤＮ）との間の接続性を促進するユーザエージェント（ＵＡ）であって、
該ユーザエージェントはプロセッサを備え、該プロセッサは、
サービスデータフローと関連付けるためのサービスの質（ＱｏＳ）クラス識別子（ＱＣＩ）を決定し、該ＱＣＩの優先度、パケット遅延割当量、およびパケットエラー損失率の１つまたは組み合わせにおける変化の意味を決定し、該サービスデータフローと関連付け、サービスデータフロー処理を指定するための要求を伝送するように構成され、該要求は、ＱＣＩと、該ＱＣＩの変化の意味をカプセル化するＱＣＩ拡張子とを含む、ユーザエージェント。
（項目８）
デフォルト変化値は、上記ＱＣＩに基づいて、上記優先度、上記パケット遅延割当量、および上記パケットエラー損失率の１つまたは組み合わせと関連付けられる、項目７に記載のユーザエージェント。
（項目９）
上記ＱＣＩは、４ビット以上を備え、上記ＱＣＩ拡張子は、４ビット以上を備え、上記ＱＣＩ拡張子ビットのうちの１つは、その増減に伴って、上記変化の意味を示す、項目７に記載のユーザエージェント。
（項目１０）
上記ＱＣＩ拡張子が、４ビットを有し、かつ、２進数００００を含むとき、上記ＱＣＩによって定義される値から変化はなく、上記ＱＣＩ拡張子が、２進数１００１を含むとき、上記優先度の値は、該ＱＣＩによって定義される上記優先度に対して、第１のデフォルト値だけ増加し、該ＱＣＩ拡張子が、２進数０１０１を含むとき、上記パケット遅延割当量の値は、該ＱＣＩによって定義される上記パケット遅延割当量に対して、第２のデフォルト値だけ増加し、該ＱＣＩ拡張子が、２進数００１１を含むとき、上記パケットエラー損失率の値は、該ＱＣＩによって定義される上記パケットエラー損失率に対して、第３のデフォルト値だけ増加し、該ＱＣＩ拡張子が、２進数１０００を含むとき、上記優先度の値は、該ＱＣＩによって定義される上記優先度に対して、第４のデフォルト値だけ減少し、該ＱＣＩ拡張子が、２進数０１００を含むとき、上記パケット遅延割当量の値は、該ＱＣＩによって定義される該パケット遅延割当量に対して、第５のデフォルト値だけ減少し、該ＱＣＩ拡張子が、２進数００１０を含むとき、該パケットエラー損失率の値は、該ＱＣＩによって定義される上記パケットエラー損失率に対して、第６のデフォルト値だけ減少する、項目９に記載のユーザエージェント。
（項目１１）
上記ＱＣＩ拡張子が、４ビットを有するとき、１を超えるＱｏＳ特性変化を伴うＱＣＩ拡張子もまた、指定可能であって、すべて、上記スカラーＱＣＩによって定義される対応するＱｏＳ特性に対して、上記ＱＣＩ拡張子が、２進数１１１１を備えるとき、上記優先度の値は、第１のデフォルト値だけ増加し、上記パケットエラー損失率の値は、第２のデフォルト値だけ増加し、該優先度の値は、第３のデフォルト値だけ増加する、項目９に記載のユーザエージェント。
（項目１２）
上記ＱＣＩ拡張子が、４ビット以上を有するとき、ＱＣＩ拡張子もまた１つ以上のＱＣＩ  ＱｏＳ特性が、増加する一方、１つ以上のＱｏＳ特性が、上記スカラーＱＣＩ値によって指定される上記ＱＣＩ特性に対して、減少するように、定義可能である、項目９に記載のユーザエージェント。
（項目１３）
ユーザエージェント（ＵＡ）とパケットデータネットワーク（ＰＤＮ）との間の接続性を促進するネットワーク構成要素であって、
該ネットワーク構成要素は、プロセッサを備え、該プロセッサは、
サービスデータフローを確立するための要求であって、サービスの質（ＱｏＳ）クラス識別子（ＱＣＩ）と、該ＱＣＩのリソース種類、優先度、パケット遅延割当量、およびパケットエラー損失率の１つまたは組み合わせにおける変化の意味をカプセル化するＱＣＩ拡張子と、を備える、要求を受信し、少なくとも部分的に、該ＱＣＩおよびＱＣＩ拡張子に基づいて、該サービスデータフローを処理するように構成される、ネットワーク構成要素。
（項目１４）
上記プロセッサは、上記ＱＣＩおよび上記ＱＣＩ拡張子を１から９（または、標準的バージョンにおいて定義される、より高い値）の範囲内のスカラー値に変換し、少なくとも部分的に、１から９（または、標準的バージョンにおいて定義される、より高い値）の範囲内のスカラー値に基づいて、上記サービスデータフローを処理するように構成される、項目１３に記載のネットワーク構成要素。
（項目１５）
上記プロセッサは、上記ＱＣＩおよび上記ＱＣＩ拡張子に基づいて決定される、優先度値、パケット遅延割当量値、およびパケットエラー損失率値から成るベクトル値を決定することによって、１から９（または、標準的バージョンにおいて定義されるより高い値）の範囲内のスカラー値を決定し、該ＱＣＩが、保証されたビットレートリソースと関連付けられているとき、該ベクトル値と対応する優先度値列、パケット遅延割当量値列、およびパケットエラー損失値列との間の最小二乗誤差を最小限にする、以下の表内の指数として、該スカラー値を決定し、
【化８】
2012524463.tif 000003
該ＱＣＩが、保証されていないビットレートリソースと関連付けられているとき、との間の最小二乗誤差を最小限にする、以下の表内の指数として、該スカラー値を決定し、
【化９】
2012524463.tif 000004
該指数は、ＱＣＩ値であって、上記優先度は、優先度レベル単位であって、ＰＤＢは、５０ｍｓ単位であって、およびＰＥＬＲは、１０−１単位である、項目１４に記載のネットワーク構成要素。
（項目１６）
上記プロセッサは、上記スカラー値をレガシーサービスの質定義に変換し、少なくとも部分的に、該レガシーサービスの質定義に基づいて、上記サービスデータフローを確立するように構成される、項目１４に記載のネットワーク構成要素。
（項目１７）
ユーザエージェント（ＵＡ）とパケットデータネットワーク（ＰＤＮ）との間の接続性を促進する方法であって、
サービスの質（ＱｏＳ）クラス識別子（ＱＣＩ）を決定し、サービスデータフローと関連付けることと、
該ＱＣＩによって指定される、優先度、パケット遅延割当量、およびパケットエラー損失率のうちの少なくとも１つにおける変化の意味を決定することであって、該変化の意味は、該サービスデータフローと関連付けられることになる、ことと、
該サービスデータフローのためのサービスデータフロー処理を指定するための要求を送信することであって、該要求は、該ＱＣＩおよびＱＣＩ拡張子を備え、該ＱＣＩ拡張子は、該ＱＣＩの変化の意味をカプセル化する、ことと
を含み、該ＱＣＩは、進化型パケットシステム（ＥＰＳ）のサービスの質（ＱｏＳ）の情報要素内に１オクテットを備え、該ＱＣＩ拡張子は、該ＥＰＳ  ＱｏＳ情報要素内に別のオクテットを備える、方法。
（項目１８）
上記ＱＣＩは、上記ＥＰＳ  ＱｏＳ情報要素内に第３のオクテットを備える、項目１７に記載の方法。
（項目１９）
上記ＱＣＩ拡張子は、上記ＥＰＳ  ＱｏＳ情報要素内に第１２のオクテットを備える、項目１７に記載の方法。
【図面の簡単な説明】
【０００６】
【図１】図１は、本開示のある実施形態による、電気通信システムの図である。
【図２】図２は、本開示のある実施形態による、方法の工程図である。
【図３】図３は、本明細書に開示される１つ以上の実施形態を実装するために好適なシステムを例証する。
【発明を実施するための形態】
【０００７】
図１を参照すると、電気通信システム１００のある実施形態が例証される。図１は、例示であって、他の実施形態では、他の構成要素または配列を有してもよい。ある実施形態では、システム１００は、進化型パケットシステム（ＥＰＳ）である、またはそれを含む場合がある。システム１００は、３ＧＰＰ  ＬＴＥ、または可能性として、他の技術を使用して、ＲＡＮ（無線アクセスネットワーク）１０４を含む。インターネットプロトコル（ＩＰ）ＩＰＶ４、ＩＰＶ６、ＧＴＰ、および／または他の現在または将来のプロトコルは、これらの技術によってサポートされてもよい。加えて、ＲＡＮ１０４は、インターネットプロトコルベースのネットワーク、パケットベースのネットワーク、公衆電話交換回線網（ＰＳＴＮ）、および／または集積サービスデジタルネットワークのいずれかまたは組み合わせによって、サービス提供されてもよい。
【０００８】
ＲＡＮ１０４は、進化型ノードＢ等のアクセスネットワークデバイス１０４ａ、または他のネットワーク構成要素を含む。ある実施形態では、ＲＡＮ１０４は、ＥＰＳ移動管理エンティティ（ＭＭＥ）１０６と通信する。ＭＭＥ１０６は、ベアラ１１２１−Ｋを通して通信する、サービングゲートウェイ１０８と通信する、またはパケットデータゲートウェイ（ＰＧＷ）１１６１−Ｎに信号伝達接続する。ある実施形態では、ＰＧＷ１１６１−Ｎは、アクセスピント名（ＡＰＮ）と関連付けられる。ＰＧＷ１１６１−Ｎはそれぞれ、Ｗｏｒｌｄ  Ｗｉｄｅ  Ｗｅｂページ、電子メール、およびインスタントメッセージングサービス等の保証されていないビットレート（非ＧＢＲ）パケットベースのサービス、ならびに他のデータパケットベースのサービスを含む場合がある、１つ以上のパケットデータネットワーク（ＰＤＮ）１２０１−Ｍに接続される。
【０００９】
図１の要素を接続するラインは、ベアラ接続、信号伝達接続、または両方を表すことができることに留意されたい。従来、異なる型の線が、各種類の接続を表すために、図面内で使用され得る。しかしながら、明確にするために、ベアラ接続および信号伝達接続は両方とも、図１では、実線によって表される。ＵＡ１０１をＲＡＮ１０４に接続する破線は、ＵＡ１０１が第１の時間でＲＡＮ１０４に接続され、他の時間で他のシステムに接続される場合があることの事実を表すことを意図する。
【００１０】
上述のように、本提案は、（１）保証されたビットレート（ＧＢＲ）および保証されていないビットレート（非ＧＢＲ）としてのリソース種類、（２）優先度、（３）パケット遅延割当量（ＰＤＢ）、および（４）パケットエラー損失率（ＰＥＬＲ）に関連する、拡張されたＱＣＩ指定に関する。ある文脈では、リソース種類、優先度、ＰＤＢ、およびＰＥＬＲは、サービスの質（ＱｏＳ）特性または属性と称されてもよい。拡張されたＱＣＩは、ＰＤＮ１２０に接続するとき、ＵＡ１０１によって提供されてもよい。拡張されたＱＣＩと関連付けられたＱｏＳ特性は、ネットワーク内の種々の構成要素によって、ネットワーク内の種々の場所において施行されてもよい。例えば、ＲＡＮ１０４は、ユーザエージェント（ＵＡ）１０１と通信する。ある実施形態では、ＲＡＮ１０４は、ＲＡＮ１０４が、無線インターフェースを介して、ＵＡ１０１にサービスを提供する、無線アクセスセルに接続する。
【００１１】
ＰＧＷ１１６１−Ｎ、サービングゲートウェイ１０８、ＲＡＮ１０４、およびＵＡ１０１は、ＱＣＩによって指定された４つの特性に従って、ベアラレベルパケットデータ転送処理のためのＧＢＲまたは非ＧＢＲベアラのそれぞれに対して、関連付けられたＱＣＩパラメータを含んでもよい。サブスクライブされたＱＣＩパラメータは、ＵＥサブスクライブＱｏＳプロファイルの一部として、ＨＳＳ／ＡＡＡ１２２内に記憶される。ＨＳＳ／ＡＡＡ１２２内に記憶されたＱＣＩは、ＭＭＥ１０６によってアクセスされ、異なるネットワーク要素１１６、１０８、１０４、または１０１、あるいはシステム１００内の他のデバイスに送達される。また、ＱＣＩパラメータは、ＵＥ１０１およびシステム１００内の他のネットワーク要素によって、修正／更新可能である。ある実施形態では、ＱＣＩは、第１のＱＣＩパラメータまたはパラメータ１０３として、ＵＡ１０１内に記憶される、第２のＱＣＩパラメータまたはパラメータ１１４として、ＳＧＷ１０８内に記憶される、第３のＱＣＩパラメータまたはパラメータ１２６として、ＭＭＥ１０６内に記憶される、第４のＱＣＩパラメータまたはパラメータ１０２として、ＨＳＳ／ＡＡＡ１２２内に記憶される、および第５のＱＣＩパラメータまたはパラメータ１０５として、ＰＧＷ１１６内に記憶されてもよい。
【００１２】
ある事例では、ＵＡ１０１は、例えば、アクセスデバイス１０４ａ、サービングゲートウェイ１０８、および複数のベアラ接続１１２１−Ｋを介して、並行して、複数のＰＧＷ１１６１−ＮならびにＰＤＮ１２０１−Ｍに接続してもよい。ＵＡ１０１のＱＣＩパラメータ１０３に基づいて、ベアラ１１２１−Ｋはそれぞれ、一式のサービスの質要件に準拠してもよい。
【００１３】
ホーム加入者サーバ（ＨＳＳ）または認証・認可・課金（ＡＡＡ）サーバ１２２は、加入者のために、無線電気通信サービスにポリシーおよび追跡／場所／ルーティング情報を記憶する。ある実施形態では、ＨＳＳ／ＡＡＡサーバ１２２、または類似構成要素は、ＭＭＥ１０６に接続し、ＵＡ１０１に利用可能なサービスに関連するデータ、ＵＡ１０１のためのサービスの質（ＱｏＳ）ポリシー、および他の類似ＵＡプロファイルデータを記憶可能である。動的ポリシーおよび課金制御（ＰＣＣ）ルールが、システム１００内に展開されることになる場合、ポリシー制御および課金ルール機能（ＰＣＲＦ）（図示せず）、または類似構成要素が、存在する場合がある。
【００１４】
ＱＣＩは、標準バージョンの１つとして、以下の表１に示される９つのスカラーＱＣＩ値を備えるように定義されてもよいことが想定される。
【００１５】
【表１】
2012524463.tif 000005
上述に定義された９つのスカラーＱＣＩ値を拡張するために、例えば、表１に定義されていない付加的性能パラメータをサポートするために、ＱＣＩは、２つの部分またはパラメータ、すなわち、表１に定義されるスカラーＱＣＩ値のうちの１つを指定する、第１の部分と、第１の部分のスカラーＱＣＩ値と関連付けられた値に対する、１つ以上のＱｏＳ特性の変化を指定する、第２の部分と、を備えてもよいことが想定される。ある実施形態では、ＱＣＩの第１の部分は、４ビットを備えてもよく、ＱＣＩの第２の部分は、４ビットを備えてもよいが、別の実施形態では、ＱＣＩの第１および第２の部分の異なるフォーマットが、採用されてもよい。新しい標準バージョンの場合、９つを超えるスカラーＱＣＩ値または特性が、（例えば、表１に）定義され、例えば、表１に定義される９つのＱＣＩ値は、第１の部分に属するであろう。
【００１６】
ある実施形態では、ＱＣＩの第２の部分が、ゼロの値、例えば、２進数００００に設定される場合、ＱＣＩは、ＱＣＩの第１の部分によって、完全に記述されてもよい。ある実施形態では、ＱＣＩの第２の部分内の２進数１０００の値は、ＱＣＩの第１の部分によって指定された優先度が、第１の定義量、例えば、１レベルだけ減少することを示す。ある実施形態では、ＱＣＩの第２の部分内の２進数１００１の値は、ＱＣＩの第１の部分によって指定された優先度が、第２の定義量、例えば、１レベルだけ増加することを示す。ある実施形態では、ＱＣＩの第２の部分内の２進数０１００の値は、ＱＣＩの第１の部分によって指定されたＰＤＢが、第３の定義量、例えば、５０ｍｓだけ減少することを示す。ある実施形態では、ＱＣＩの第２の部分内の２進数０１０１の値は、ＱＣＩの第１の部分によって指定されたＰＤＢが、第４の定義量、例えば、５０ｍｓだけ増加することを示す。ある実施形態では、ＱＣＩの第２の部分内の２進数００１０の値は、ＱＣＩの第１の部分によって指定されたＰＥＬＲの指数が、例えば、１だけ負の指数を減少させることによって（例えば、１０−３から１０−２）、第５の定義量だけ減少することを示す。ある実施形態では、ＱＣＩの第２の部分内の２進数００１１の値は、ＱＣＩの第１の部分によって指定されたＰＥＬＲの指数が、例えば、１だけ負の指数を減少させることによって（例えば、１０−３から１０−４）、第６の定義量だけ増加することを示す。
【００１７】
２進数ｘｘｘ１、（ここでは、「ｘ」は、関連付けられたビット位置が、任意の値を有し得ることを示す）の値は、ＱＣＩの第２の部分内では、ＱＣＩの第１の部分内のスカラー値によってマップされたＱｏＳ特性に対する増加と関連付けられる一方、ＱＣＩの第２の部分内の２進数ｘｘｘ０の値は、ＱＣＩの第１の部分内のスカラー値によってマップされたＱｏＳ特性に対する減少と関連付けられることに留意されたい。上述の実施例における増加および減少に対する規定値は、等しいが、ある実施形態では、優先度、ＰＤＢ、および／またはＰＥＬＲの増加および減少に対する規定値は、等しい値である必要はない。ある実施形態では、増加および減少と関連付けられた規定値は、さらに、ＱＣＩの第１の部分内のスカラー値に基づいてもよく、例えば、ある実施形態では、優先度、ＰＤＢ、およびＰＥＬＲのそれぞれに対する増加および減少に対する異なる規定値が、現在の９つの異なるスカラーＱＣＩ値のそれぞれに対して定義されてもよい。ある実施形態では、非ＧＢＲリソースＱＣＩと関連付けられた増加および減少に対する規定値は、ＧＢＲリソースＱＣＩのための増加および減少に対する規定値と異なってもよい。
【００１８】
ある実施形態では、ＱＣＩ拡張子部分に対して７ビットを使用することによって、いくつかの範囲が、定義され得、特性のいくつかを修正する可能性を伴わずに、１つ以上のＱＣＩ特性に適用するための差異を定義する。符号化の実施例は、以下のようになるであろう。
【００１９】
【化１】
2012524463.tif 000006
故に、値０から１２４は、基準ＱＣＩの特性に適用するための変化を定義し得る。以下の表２および３は、それらの特性変化が、どのように値０から１２４から導出されるかを定義し得る。
【００２０】
【表２】
2012524463.tif 000007
【００２１】
【表３】
2012524463.tif 000008
ある実施形態では、ＱＣＩの第２の部分は、２つ以上の性能特性の変化（増加または減少）を示してもよい。依然として、ＱＣＩ拡張子内の他の性能特性のいくつかに対して、不変である可能性があり得ることに留意されたい。例えば、第１のビットは、種類（ＧＢＲ対非ＧＢＲ）のトグルを示すために使用されてもよい。オクテット内の次の２ビットは、優先度特性を指してもよい（すなわち、潜在的優先度変化に関する）。オクテット内の最後のビットは、使用されないままであり得る、またはその符号化範囲を３ビットにするために、所要の性能特性変化の２ビットと併せて使用され得る。別の実施形態では、いくつかの指定のコードポイントは、性能特性におけるいくつかの変化を識別してもよい（２つ以上の性能特性の変化の可能性を伴う、および／または性能特性のうちのいくつかに対する不変を符号化させない）。
【００２２】
例えば、ＱＣＩ拡張子に対して７ビットを使用することによって、ＱＣＩ特性の差異の定義は、例えば、優先度の差異に対して２ビット、ＰＤＢの差異に対して２ビット、ＰＥＬＲに対して２ビット、および随意に、リソース種類の変化に対して１ビットを使用することによって行われ得る。１つの可能性のある実施例として、これを定義する符号化は、以下のようになり得る。
【００２３】
【化２】
2012524463.tif 000009
ビットＡからＧは、以下のように、基準ＱＣＩの特性に適用するための変化を定義する。
【００２４】
【化３】
2012524463.tif 000010
ある実施形態では、優先度を値１から９に境界するために、初期値が、それぞれ、それらの数を下回るまたは上回る場合、本範囲から逸脱する値は、１または９の最終値を有するであろうことが指定され得る。これは、指定された本実施形態で指定されたもの以外の他の符号化選択肢のためにも指定され得る。
【００２５】
【化４】
2012524463.tif 000011
ある実施形態では、パケット遅延割当量は、最終最小値によって指定され得る。例えば、２５ｍｓ、または５０ｍｓ。これは、指定された本実施形態で指定されたもの以外の他の符号化選択肢のためにも指定され得る。
【００２６】
【化５】
2012524463.tif 000012
一実施形態では、いくつかのコードポイントは、いくつかのＰＬＭＮ指定ＱＣＩまたはＱＣＩ特性のために使用されるために、ＱＣＩ拡張子部分内で配分され得る。それらのコードポイントと関連付けられたＱＣＩ特性は、ＰＬＭＮ（ネットワーク）内で周知であって、標準内では符号化されないであろう（コードポイント自体のみ、配分され、使用されるであろう）。
【００２７】
これに関する課題は、ネットワークが、ＱＣＩ特性の観点から所要の点の意味を把握するであろうが（ネットワーク全体、ネットワークパートナー、または同等ＰＬＭＮ内に適用するため）、一方、ＵＥ（デバイス）が、本ＰＬＭＮ指定ＱＣＩを受信するとき、どのＱＣＩ特性を適用すべきかを把握していないことである。これを解決するための方法は、デバイスに対して、オペレータ指定ＱＣＩの範囲内のコードポイントを受信するとき、これを基準ＱＣＩとの差異を指定しないものとみなすように指定する、すなわち、代わりに、基準ＱＣＩを適用することである。
【００２８】
例えば、前項の実施例を使用するとき、ＱＣＩ拡張子とともに、ＰＬＭＮ指定ＱＣＩに対する範囲の使用は、結果として、以下の実施例をもたらし得る。
サービスの質クラス識別子拡張（ＱＣＩ拡張）、オクテット１２
【００２９】
【化６−１】
2012524463.tif 000013
ＵＥからネットワーク方向およびネットワークからＵＥ方向：
ビットＡからＧは、以下のように、オクテット３から基準ＱＣＩの特性を適用するための変化を定義する。
【００３０】
【化６−２】
2012524463.tif 000014
優先度は、値１から９に境界される。故に、初期値が、それぞれ、それらの数を下回るまたは上回る場合、本範囲から導出された値は、１または９の最終値を有するであろう。
【００３１】
【化６−３】
2012524463.tif 000015
ある実施形態では、将来、定義され得る任意の他の値を受信するとき、本仕様バージョンに準拠するＵＥが、将来、予測可能ＵＥ挙動を有するために、ＵＥによって受信される任意の他の値が、ＱＣＩ特性に変化が無いものとして解釈される、すなわち、基準ＱＣＩ特性を適用するであろう（本実施例では、オクテット３から）ように、要件が追加され得る。これは、指定された本実施形態で指定されたもの以外の他の符号化選択肢のためにも指定され得ることに留意されたい。
【００３２】
別の実施形態では、実施例として、ＱＣＩ拡張子部分に対して、８ビットを使用し、３つの属性：優先度、ＰＤＢ、およびＰＥＬＲのそれぞれにおけるデルタ変化方向を示すために、１ビットを使用する場合、またはＱＣＩ拡張子フォーマットＤＰ  ＤＢＢ、ＤＬＬ（ここでは、Ｄは、増加／減少、または「１／０」インジケータである）を使用する場合、優先度に対して、「変化無し」または「００」および２デルタ変化（＋１または「１１」、−１または「０１」）、ＰＤＢおよびＰＥＬＲの両方に対して、「変化無し」または「０００」あるいは「１００」および６デルタ単位変化（＋１または「１０１」、＋２「１１０」、＋３または「１１１」、−１または「００１」、−２「０１０」、−３または「０１１」）を有するであろう。合計、３＊７＊７＝１４７の変化の組み合わせを有するであろう。ＰＤＢに対する単位変化が、例えば、５０ｍｓまたは２５ｍｓであり得る場合、ＰＥＬＲに対する単位変化は、１０−１であり得る。
【００３３】
選択肢として、ＱＣＩ拡張子部分はまた、ＱＣＩ拡張子２進数ビットによって指数化されるＱｏＳ特性優先度レベル、ＰＤＢ、およびＰＥＬＲに対して、いくつかの固定変化によって定義可能である。以下は、ＱＣＩ拡張子部分が４ビットを有する、実施例である。
【００３４】
【表４−１】
2012524463.tif 000016
【００３５】
【表４−２】
2012524463.tif 000017
より一般的には、ＱＣＩ拡張子およびＱＣＩ部分１内の標準ＱＣＩに対する各ＱＣＩ  ＱｏＳ属性変形例の組み合わせは、テンプレート内に指定可能である。また、ＱＣＩ拡張子部分内で使用される指数は、テンプレート内の必要とされる特性変化の位置に基づいて、定義または計算可能である。これは、以下のように記述される。
仮に、
優先度に対するデルタ変化の数＝ｍ（＞＝１）とすると、各変化は、指数ｉ（ｉ＝１、…、ｍ）を有する
ＰＤＢに対するデルタ変化の数＝ｎ（＞＝１とすると、各変化は、指数ｊ（ｊ＝１、…、ｎ）を有する
ＰＥＬＲに対するデルタ変化の数＝ｐ（＞＝１）とすると、各変化は、指数ｋ（ｋ＝１、…、ｐ）を有する
長さをＱＣＩ拡張子部分Ｆビットと仮定する（ここでは、ｍ＊ｎ＊ｐ＜＝２Ｆ）。次いで、ｉ，ｊ，ｋによって指定されたＱＣＩデルタ変化に対するＱＣＩ拡張子指数は、以下となる。
ＱＣＩ拡張子指数（ｉ，ｊ，ｋ）＝（ｉ−１）＊（ｎ＊ｐ）＋（ｊ−１）＊ｐ＋（ｋ−１）
実施例：
以下の表は、ｍ＝ｎ＝ｐ＝５を伴う、ＱＣＩ拡張子デルタ変化を指定する。
【００３６】
【表５】
2012524463.tif 000018
優先度＋１（ｉ＝２）、ＰＤＢ-１００ｍｓ（ｊ＝５）、およびＰＥＬＲ＊１００（ｋ＝４）のデルタ変化に対するＱＣＩ拡張子指数を定義するために、以下となるであろう。
【００３７】
ＱＣＩ拡張子指数（２，５，４）＝（２−１）＊（５＊５）＋（５−１）＊５＋（４−１）
＝２５＋２０＋３＝４８（１０進数）または００１１  ００００（２進数）
ｉ＝ｊ＝ｋ＝１の極値として、以下となるであろう。
ＱＣＩ拡張子指数（０，０，０）＝（１−１）＊（５＊５）＋（１−１）＊５＋（１−１）
＝０＋０＋０＝０（１０進数）または００００  ００００（２進数）
ｉ＝ｊ＝ｋ＝５の別の極値として、以下となるであろう。
ＱＣＩ拡張子指数（５，５，５）＝（５−１）＊（５＊５）＋（５−１）＊５＋（５−１）
＝１００＋２０＋４＝１２４（１０進数）または０１１１  １１００（２進数）
加えて、上述のＱＣＩ拡張子機構は、リソース種類変化を含むように拡張可能である。また、ＱＣＩ拡張子の長さが８ビットを有するとき、ｍ＝５、ｎ＝ｐ＝７を設定し、合計、５＊７＊７＝２４５（＜２８＝２５６）の組み合わせＱＣＩ変化を有することが可能である。その上、標準ＱＣＩ  ＱｏＳ特性に対するデルタ変化は、動作ニーズに従って、指定された不規則または任意に指定可能である。同一方法論によって、部分１内の標準ＱＣＩはまた、可能性として、異なるＱＣＩ指数によって指定可能である。
【００３８】
ある実施形態では、ＱＣＩ拡張子インジケータを使用して、標準ＱＣＩ位置に属する本ＱＣＩ、または拡張されたＱＣＩ、あるいはオペレータ指定された４つのＱＣＩ  ＱｏＳ属性を伴うオペレータ指定ＱＣＩかどうかを示すことが可能である。インジケータが、標準化ＱＣＩであることを示す場合、ＱＣＩの値は、ＱＣＩ部分１内におけるような対応するデフォルト４つの属性を伴うスカラーＱＣＩとして読み取られるであろう。インジケータが、拡張されたＱＣＩまたはオペレータ指定ＱＣＩであることを示す場合、ＱＣＩ部分および拡張された部分の値は、詳細な４つの属性値：リソース種類、優先度、ＰＤＢ、およびＰＥＬＲを伴う所与のフォーマット内で読み取られるであろう。以下は、２バイトが、本実施形態のために使用される場合の実施例である
【００３９】
【化７】
2012524463.tif 000019
ネットワークノードは、上述のように、サービスデータフローのために所望されるＱＩＣを決定し、ＱＣＩの第１の部分およびＱＣＩの第２の部分を使用して、本ＱＣＩをエンコードしてもよい。ＲＡＮ１０４内のＱＣＩパラメータ１１４は、上述のように、ＱＣＩの第１の部分およびＱＣＩの第２の部分を備えてもよい。ある実施形態では、ネットワークノード、例えば、サービングゲートウェイ１０８が、上述のＱＣＩ拡張子を採用するエンコーディング機構に精通していない場合、ネットワークノードは、ＱＣＩの第２の部分を無視し、ＱＣＩの第１の部分だけに基づいて、サービスデータフローを処理してもよい。代替として、ＲＡＮ１０４は、拡張されたＱＣＩの非ベアラ種類３属性の差異平方誤差のマッピングされたＱＣＩ値の対応する３つの属性との和が最小限となるように、最小二乗法によって、上述の表１に識別された９つの値のうちの１つにマッピングしてもよい。９つのスカラーＱＣＩ値のうちの１つに変換されると、スカラーＱＣＩ値は、初期および／またはレガシーサービスの質（ＱｏＳ）定義、ＱｏＳパラメータ、ならびに／あるいはＱｏＳ値にさらにマッピングされてもよい。ある実施形態では、未知のＱＣＩおよび／または未知の拡張されたＱＣＩが受信される場合、サービスデータフローは、性能ＱｏＳ特性の最低優先度および／または最低レベルによって処理されてもよい。例えば、ある実施形態では、ＱＣＩおよび／または拡張されたＱＣＩが受信デバイス、ネットワークノード、ならびに／あるいはエンティティにとって未知である場合、サービスデータフローは、保証されていないビットレートに対してのように、優先度９、３００ｍｓパケット遅延割当量、および１０−２パケットエラー／損失率によって、処置されてもよい。別の実施形態では、ＱＣＩおよび／または拡張されたＱＣＩが、受信デバイス、ネットワークノード、ならびに／あるいはエンティティにとって未知である場合、サービスデータフローは、保証されていないビットレートに対してのように、優先度９、３００ｍｓパケット遅延割当量、および１０−３パケットエラー／損失率によって、処置されてもよい。別の実施形態では、ＱＣＩおよび／または拡張されたＱＣＩが、受信デバイス、ネットワークノード、ならびに／あるいはエンティティにとって未知である場合、サービスデータフローは、保証されていないビットレートに対してのように、優先度９、３００ｍｓパケット遅延割当量、および１０−６パケットエラー／損失率によって、処置されてもよい。別の実施形態では、ＱＣＩおよび／または拡張されたＱＣＩが、受信デバイス、ネットワークノード、ならびに／あるいはエンティティにとって未知である場合、サービスデータフローを確立するための要求あるいは既存サービスデータフローのための処理を定義するための要求は、拒否および／または無視されてもよい。
【００４０】
次に、図２を参照すると、方法１５０が説明される。ブロック１５５では、表１からのスカラーＱＣＩ値が決定され、サービスデータフローと関連付けられる。スカラーＱＣＩ値は、その値が対象サービスデータフローのために所望のＱｏＳ特性に最も近似する、非ベアラ種類３属性または全４属性を備えるように選択されてもよい。ブロック１６０では、３または４属性-リソース種類（４属性の場合）、優先度、パケット遅延割当量（ＰＤ
Ｂ）、およびパケットエラー損失率（ＰＥＬＲ）-のうちの１つに対する変化の意味が決定
され、サービスデータフローと関連付けられる。ブロック１６５では、サービスデータフロー処理のための要求が、例えば、ＵＡ１０１から送信され、要求は、ブロック１５５で決定されたスカラーＱＣＩ値を含む、ＱＣＩの第１の部分と、スカラーＱＣＩ値によって識別されたＱｏＳ特性の値からＱｏＳ特性の所望の変化を指定する、ＱＣＩの第２の部分と、を備える。いくつかの文脈では、ＱＣＩの第２の部分は、ＱＣＩ拡張子と称されてもよい。
【００４１】
ある実施形態では、ＱＣＩの第１の部分は、進化型パケットシステム（ＥＰＳ）サービスの質（ＱｏＳ）情報要素内にオクテットを備えてもよく、ＱＣＩの第２の部分は、ＥＰＳ  ＱｏＳ情報要素内に別のオクテットを備えてもよい。例えば、ある実施形態では、ＱＣＩの第１の部分は、ＱｏＳ情報要素内に第３のオクテットを備えてもよく、ＱＣＩの第２の部分は、ＥＰＳ  ＱｏＳ情報要素内に第１２のオクテットを備えてもよい。しかしながら、別の実施形態では、ＱＣＩの第１の部分に対応するオクテットおよびＱＣＩの第２の部分に対応するオクテットは、ＥＰＳ  ＱｏＳ情報要素内の他の順序付けられた位置に配置されてもよい。
【００４２】
動機を与える実施例として、ＧＢＲリソース種類は、サービスデータフローのために所望されてもよい。加えて、パケット遅延割当量７５ｍｓが所望されてもよい。故に、ブロック１５５では、スカラーＱＣＩ値３が、ＱＣＩの第１の部分に対して決定されてもよい。定義された変化値２５ｍｓは、スカラーＱＣＩ値３と関連付けられてもよい。スカラーＱＣＩ値３に基づいて、パケット遅延割当量７５ｍｓに到達するために、５０ｍｓである、スカラーＱＣＩ値３と関連付けられたパケット遅延割当量は、２５ｍｓだけ増加しなければならず、故に、必要とされる変化の意味は、増加または正である。ＱＣＩの第２の部分は、パケット遅延割当量が、定義された増分値だけ増加されるべきことを示す、２進数０１０１として決定されてもよい。ある実施形態では、ＱＣＩは、２進数００１１  ０１０１としてエンコードされてもよく、２進数００１１は、ＱＣＩの第１の部分、スカラーＱＣＩ値３に対応し、２進数０１０１は、ＱＣＩの第２の部分またはＱＣＩ拡張子に対応する。当業者は、本開示と組み合わせて、容易に、本実施例に追従し、拡張されたＱＣＩの種々の関連実装を追求してもよく、それらはすべて、本開示によって想定される。いくつかの他のエンコーディングパターンが、ＱＣＩ拡張子のために採用されてもよい。
【００４３】
上述の種々のシステムおよび構成要素は、上述の作用に関する命令を実行することが可能である、処理構成要素を含む場合がある。図３は、本明細書で開示される１つ以上の実施形態を実装するために好適な処理構成要素５００を含む、システム５１０の実施例を図示する。プロセッサ５１０（中央プロセッサユニットまたはＣＰＵと称され得る）に加えて、システム５００は、ネットワーク接続デバイス５２０、ランダムアクセスメモリ（ＲＡＭ）５３０、読取専用メモリ（ＲＯＭ）５４０、二次記憶装置５５０、入／出力（Ｉ／Ｏ）デバイス５６０を含む場合がある。これらの構成要素は、バス５７０を介して、相互に通信する場合がある。ある場合には、これらの構成要素のいくつかは、存在しなくてもよく、あるいは相互または図示されない他の構成要素と種々の組み合わせにおいて、組み合わせられてもよい。これらの構成要素は、単一の物理的エンティティに、または１つより多くの物理的エンティティに位置する場合がある。プロセッサ５１０によって行われるものとして本明細書で説明される、任意の作用は、プロセッサ５１０によって単独で、または、デジタル信号プロセッサ（ＤＳＰ）５０２等、図面に示されている、あるいは示されていない１つ以上の構成要素と併せて、プロセッサ５１０によって行われる場合がある。ＤＳＰ５０２等は、別個の構成要素として示されるが、ＤＳＰ５０２は、プロセッサ５１０内に組み込まれる場合がある。
【００４４】
プロセッサ５１０は、それがネットワーク接続デバイス５２０、ＲＡＭ５３０、ＲＯＭ５４０、または二次記憶装置５５０（ハードディスク、フロッピー（登録商標）ディスク、ＳＩＭ（加入者識別モジュール）カード、または光ディスク、あるいは他の記憶デバイス）からアクセスする場合がある、命令、コード、コンピュータプログラム、またはスクリプトを実行する。１つのＣＰＵ５１０のみ示されるが、複数のプロセッサが存在してもよい。したがって、命令は、プロセッサによって実行されるものとして論議され得るが、命令は、同時に、連続的に、または別様に、１つまたは複数のプロセッサによって実行されてもよい。プロセッサ５１０は、１つ以上のＣＰＵチップとして実装されてもよい。
【００４５】
ネットワーク接続デバイス５２０は、モデム、モデムバンク、イーサネット（登録商標）デバイス、ユニバーサルシリアルバス（ＵＳＢ）インターフェースデバイス、シリアルインターフェース、トークンリングデバイス、光ファイバ分散データインターフェース（ＦＤＤＩ）デバイス、無線ローカルエリアネットワーク（ＷＬＡＮ）デバイス、符号分割多重アクセス（ＣＤＭＡ）デバイス、グローバルシステムフォーモバイルコミュニケーションズ（ＧＳＭ（登録商標））無線送受信機デバイス等の無線送受信機デバイス、マイクロ波アクセス用の世界的相互運用性（ＷｉＭＡＸ）デバイス、および／またはネットワークに接続するための他の周知のデバイスの形態を成してもよい。これらのネットワーク接続デバイス５２０は、プロセッサ５１０が情報を受信する場合がある、またはプロセッサ５１０が情報を出力する場合がある、インターネットまたは１つ以上の電気通信ネットワーク、あるいは他のネットワークと、プロセッサ５１０が通信することを可能にしてもよい。また、ネットワーク接続デバイス５２０は、データを無線伝送および／または受信可能な１つ以上の送受信機構成要素５２５を含む場合がある。
【００４６】
ＲＡＭ５３０は、揮発性データと、可能性として、プロセッサ５１０によって実装される命令を記憶するために使用される場合がある。ＲＯＭ５４０は、典型的には、二次記憶装置５５０のメモリ容量より小さいメモリ容量を有する、不揮発性メモリデバイスである。ＲＯＭ５４０は、命令と、可能性として、命令の実行の際に読み取られるデータを記憶するために使用される場合がある。ＲＡＭ５３０およびＲＯＭ５４０両方へのアクセスは、典型的には、二次記憶装置５５０より高速である。二次記憶装置５５０は、典型的には、１つ以上のディスクドライブまたはテープドライブから成り、ＲＡＭ５３０が全作業データを保持するほど十分に大きくない場合に、データの不揮発性記憶のために、またはオーバーフローデータ記憶デバイスとして使用される場合がある。二次記憶装置５５０は、ＲＡＭ５３０にロードされるプログラムが実行のために選択されると、そのようなプログラムを記憶するために使用されてもよい。
【００４７】
Ｉ／Ｏデバイス５６０は、液晶ディスプレイ（ＬＣＤ）、タッチスクリーンディスプレイ、キーボード、キーパッド、スイッチ、ダイヤル、マウス、トラックボール、音声認識装置、カード読取装置、紙テープ読取装置、プリンタ、ビデオモニタ、または他の周知の入力デバイスを含んでもよい。また、送受信機５２５は、ネットワーク接続デバイス５２０の構成要素の代わりに、またはそれに加えて、Ｉ／Ｏデバイス５６０の構成要素と見なされる場合がある。
【００４８】
以下の第３世代のパートナーシッププロジェクト（３ＧＰＰ）技術仕様（ＴＳ）、ＴＳ２３．４０１−８．２．０、ＴＳ２３．４０２−８．２．０、ＴＳ２４．３０１は、参照することによって本明細書に組み込まれる。
【００４９】
ある実施形態では、ユーザエージェント（ＵＡ）とパケットデータネットワーク（ＰＤＮ）との間の接続性を促進するための方法が、開示される。方法は、サービスの質クラス識別子（ＱＣＩ）を決定し、サービスデータフローと関連付けるステップと、ＱＣＩの優先度、パケット遅延割当量、およびパケットエラー損失率のうちの少なくとも１つにおける変化の意味を決定し、サービスデータフローと関連付けるステップと、サービスデータフロー処理を確立するための要求を送信するステップであって、要求は、ＱＣＩと、ＱＣＩの変化の意味をカプセル化するＱＣＩ拡張子と、を備える、ステップと、を備える。
【００５０】
別の実施形態では、ＵＡとパケットデータネットワーク（ＰＤＮ）との間の接続性を促進するためのユーザエージェント（ＵＡ）が、開示される。ＵＡは、サービスデータフローと関連付けるためのサービスの質クラス識別子（ＱＣＩ）を決定し、ＱＣＩの優先度、パケット遅延割当量、およびパケットエラー損失率のうちの１つにおける変化の意味を決定し、サービスデータフローと関連付け、サービスデータフローを確立するための要求処理を伝送するように構成される、プロセッサを備え、要求は、ＱＣＩと、ＱＣＩの変化の意味をカプセル化するＱＣＩ拡張子と、を備える。
【００５１】
別の実施形態では、ユーザエージェント（ＵＡ）とパケットデータネットワーク（ＰＤＮ）との間の接続性を促進するためのネットワーク構成要素が、開示される。ネットワーク構成要素は、サービスデータフローを確立するための要求であって、サービスの質クラス識別子（ＱＣＩ）と、ＱＣＩの優先度、パケット遅延割当量、およびパケットエラー損失率の１つまたは組み合わせにおける変化の意味をカプセル化するＱＣＩ拡張子と、を備える、要求を受信し、少なくとも部分的に、ＱＣＩおよびＱＣＩ拡張子に基づいて、サービスデータフローを処理するように構成される、プロセッサを備える。
【００５２】
別の実施形態では、ユーザエージェント（ＵＡ）とパケットデータネットワーク（ＰＤＮ）との間の接続性を促進するための方法が、開示される。方法は、サービスの質クラス識別子（ＱＣＩ）を決定し、サービスデータフローと関連付けるステップと、ＱＣＩによって指定される優先度、パケット遅延割当量、およびパケットエラー損失率のうちの少なくとも１つにおける変化の意味を決定するステップと、を備え、変化の意味は、サービスデータフローと関連付けられ。方法は、サービスデータフローのためのサービスデータフロー処理を確立するための要求を送信するステップをさらに備え、要求は、ＱＣＩおよびＱＣＩ拡張子を備え、ＱＣＩ拡張子は、ＱＣＩの変化の意味をカプセル化する。ＱＣＩは、進化型パケットシステム（ＥＰＳ）サービスの質（ＱｏＳ）情報要素内に１オクテットを備え、ＱＣＩ拡張子は、ＥＰＳ  ＱｏＳ情報要素内に別のオクテットを備える。
【００５３】
いくつかの実施形態を本開示で提供したが、開示されたシステムおよび方法は、本開示の精神または範囲から逸脱することなく、多くの他の具体的形態で具現化されてもよいことを理解されたい。本実施例は、制限ではなく、例証としてみなされるべきであって、本明細書に与えられる詳細に制限されることを意図するものではない。例えば、種々の要素または構成要素は、組み合わされる、または別のシステムに統合されてもよく、あるいはある特徴は、省略される、もしくは実装されてなくてもよい。
【００５４】
また、個別または別個のものとして種々の実施形態で説明および例証される、技術、システム、サブシステム、および方法は、本開示の範囲から逸脱することなく、他のシステム、モジュール、技術、または方法と組み合わされるか、あるいは統合されてもよい。連結される、または直接連結される、あるいは互いに通信するように図示もしくは論じられた他の項目は、あるインターフェース、デバイス、または中間構成要素を通して、電気的に、機械的に、あるいは別様にかにかかわらず、間接的に連結される、もしくは通信してもよい。変化、置換、および代替の他の実施例は、当業者によって究明可能であって、本明細書に開示される精神および範囲から逸脱することなく成され得る。